(57)【要約】【課題】集塵部の内部に付着し堆積した塵埃を効果的に除塵でき、吸引風の低下を減少し、集塵性能を向上させた使い勝手の良い電気掃除機を提供する。【解決手段】電動送風機２２と、前記電動送風機２２に連通する集塵室２７と、前記集塵室２７を開閉自在に覆う集塵蓋２８と、前記集塵室２７内に着脱自在に設けられると共に塵埃を捕集する集塵部３０を有する集塵ボックス２９を備え、前記集塵ボックス２９に、前記集塵部３０に付着した塵埃を除く除塵手段３７を配設したもので、除塵手段３７と、集塵部３０が近くなり集塵部３０に大きな振動など大きな除塵力を伝えることができる。その結果、確実に集塵部３０に付着した塵埃を効率的に除塵できることで、効率的な徐塵効果が実現できる。さらに、除塵により吸引風の抵抗が低減し、吸い込み性能の低下を防止でき、また、掃除機本体の集塵室２７内の構成が簡単となり組立て性が良好となる。【選択図】図２
2006006609.tif 000002
【特許請求の範囲】
【請求項１】
電動送風機と、前記電動送風機に連通する集塵室と、前記集塵室を開閉自在に覆う集塵蓋と、前記集塵室内に着脱自在に設けられると共に塵埃を捕集する集塵部を有する集塵ボックスを備え、前記集塵ボックスに、前記集塵部に付着した塵埃を除く除塵手段を配設したことを特徴とする電気掃除機。
【請求項２】
電動送風機を内蔵した電動送風機室と、前記電動送風機室と集塵室とを連通する連通口を備え、除塵手段を集塵ボックスの後方で、かつ前記連通口近傍に配設した請求項１に記載の電気掃除機。
【請求項３】
除塵手段は集塵部に動作を加えるとともに、前記除塵手段を、掃除機本体の長手方向に対して略直角に配列した請求項１又は２に記載の電気掃除機。
【請求項４】
除塵手段を掃除機本体の長手方向に対して略直角に配列し、前記除塵手段に、集塵部の上部の少なくとも一部を覆う突出部を設けた請求項１又は２に記載の電気掃除機。
【請求項５】
突出部を、掃除機本体の長手方向に対して鈍角に傾斜させた請求項４に記載の電気掃除機。
【請求項６】
突出部を軟質材で形成した請求項４又は５に記載の電気掃除機。
【請求項７】
除塵手段に通気性を有する開口部を複数形成した請求項１〜６のいずれか１項に記載の電気掃除機。
【請求項８】
除塵手段に前記除塵手段を駆動する電気負荷を配設し、前記除塵手段に前記電気負荷に電気的に接続された端子Ａを設け、前記端子Ａに電源を給電する端子Ｂを集塵室内に設け、集塵ボックスを前記集塵室内に装着した時に、前記端子Ａと前記端子Ｂとが通電接続されるようにした請求項１〜７のいずれか１項に記載の電気掃除機。
【請求項９】
端子Ａ及び端子Ｂを、集塵室下部に配置した請求項８に記載の電気掃除機。
【請求項１０】
端子Ａの端子Ｂ側の端部、前記端子Ｂの前記端子Ａ側端部の少なくとも一方を略円弧状に形成した請求項８又は９に記載の電気掃除機。
【請求項１１】
端子Ａの両端にガイドリブを設けた請求項８〜１０のいずれか１項に記載の電気掃除機。
【請求項１２】
端子Ｂの両端に、前記端子Ｂを覆う保護体を設けた請求項８〜１１のいずれか１項に記載の電気掃除機。
【請求項１３】
集塵室及び電動送風機を有する掃除機本体と、前記集塵室を開閉自在に覆う集塵蓋と、前記集塵室内に配され塵埃を捕集する集塵部とを具備し、前記集塵蓋に、前記集塵部に付着した塵埃を除く除塵手段を配設してなる電気掃除機。
【請求項１４】
除塵手段を、掃除機本体の長手方向に対して略水平方向に配設した請求項１３に記載の電気掃除機。
【発明の詳細な説明】
【技術分野】
【０００１】
本発明は、電気掃除機に関するもので、特に除塵手段を備えた電気掃除機に関するものである。
【背景技術】
【０００２】
従来のこの種の電気掃除機として、特許文献１に示されるようなものがあった。
【０００３】
以下に、図１３を用いて、上記特許文献１に開示された内容を説明する。
【０００４】
電気掃除機の掃除機本体１の後方には、吸引用の電動送風機２を内蔵した電動送風機室３が設けられ、前記掃除機本体１の前方には集塵袋４を内蔵した集塵室５が備えられている。前記電動送風機室３と前記集塵室５は、掃除機本体１に設けられた隔壁６によって区画されており、前記隔壁６に設けた連通口８に対向する集塵袋４の面ａに付着する塵埃を除塵する除塵手段９が、掃除機本体１の集塵室５内に配設されている。
【０００５】
前記除塵手段９は、制御手段１０にて振動させられる振動板１１により集塵袋４の面ａを叩く構成としている。
【０００６】
上記構成により、電動送風機２で生成される吸引風で吸込まれた塵埃が前記集塵袋４に蓄積した時に、前記振動板１１により、集塵袋４面ａに、付着した塵埃を叩き除塵することで、空気抵抗を緩和させ吸い込み力の低下を防止することができるものである。
【特許文献１】特開平５―９１９６２号公報
【発明の開示】
【発明が解決しようとする課題】
【０００７】
しかしながら、上記特許文献１には、掃除機本体１における集塵室５内の除塵手段９の配置固定方法が明確に開示されていない為、除塵手段９が集塵袋４に与える振動が確実に集塵袋４の面ａに伝達されず、確実かつ、効率的な除塵効果が望めないという問題点が容易に推定される。また、集塵室５内に除塵手段９を構成することにより、掃除機本体１への除塵手段９の取付け構造が非常に複雑となり組立性が悪く、また最悪除塵手段９と掃除機本体１との取付け部より吸引風が漏れ、集塵性能が低下するという課題もあった。
【０００８】
本発明は上記従来の課題を解決するもので、集塵袋の内部に付着し堆積した塵埃を確実にしかも効果的に除塵でき、吸引風の低下が少なく集塵性能に優れた電気掃除機を提供することを目的とする。
【課題を解決するための手段】
【０００９】
前記従来の課題を解決するために、本発明の電気掃除機は、電動送風機と、前記電動送風機に連通する集塵室と、前記集塵室を開閉自在に覆う集塵蓋と、前記集塵室内に着脱自在に設けられると共に塵埃を捕集する集塵部を有する集塵ボックスを備え、前記集塵ボックスに、前記集塵部に付着した塵埃を除く除塵手段を配設したもので、除塵手段と集塵部が近くなり集塵部に大きな振動など大きな除塵力を伝えることができ、その結果、確実に集塵部に付着した塵埃を効率的に除塵できる。さらに、除塵により吸引風の抵抗が低減し、吸い込み性能の低下を防止でき、また、掃除機本体の集塵室内の構成が簡単となり組立て性が良好となる。
【００１０】
また、本発明の電気掃除機は、集塵室及び電動送風機を有する掃除機本体と、前記集塵室を開閉自在に覆う集塵蓋と、前記集塵室内に配され塵埃を捕集する集塵部とを具備し、前記集塵蓋に、前記集塵部に付着した塵埃を除く除塵手段を配設したもので、掃除機本体を長手方向に大きくすることなく除塵効果を発揮することができ、小型化が可能となる。
【発明の効果】
【００１１】
本発明の電気掃除機は、集塵部の内部に付着し堆積した塵埃を効率的に除塵でき、吸引風の低下が少なく、集塵性能にも優れているものである。
【発明を実施するための最良の形態】
【００１２】
第１の発明は、電動送風機と、前記電動送風機に連通する集塵室と、前記集塵室を開閉自在に覆う集塵蓋と、前記集塵室内に着脱自在に設けられると共に塵埃を捕集する集塵部を有する集塵ボックスを備え、前記集塵ボックスに、前記集塵部に付着した塵埃を除く除塵手段を配設したもので、除塵手段と集塵部が近くなり集塵部に大きな振動など大きな除塵力を伝えることができ、その結果、確実に集塵部に付着した塵埃を効率的に除塵できる。さらに、除塵により吸引風の抵抗が低減し、吸い込み性能の低下を防止でき、また、掃除機本体の集塵室内の構成が簡単となり組立て性が良好となる。
【００１３】
第２の発明は、特に、第１の発明の電動送風機を内蔵した電動送風機室と、前記電動送風機室と集塵室とを連通する連通口を備え、除塵手段を集塵ボックスの後方で、かつ前記連通口近傍に配設したもので、集塵部の吸引風が通過し塵埃の付着が最も多い部分の除塵が可能となり、除塵手段による除塵効果の拡大が図れるものとなる。
【００１４】
第３の発明は、特に、第１又は第２の発明の除塵手段は、集塵部に動作を加えるとともに、前記除塵手段を、掃除機本体の長手方向に対して略直角に配列したもので、集塵室の小スペース内に除塵手段を構成するのが容易となり、掃除機本体を小型化することができる。
【００１５】
第４の発明は、特に、第１又は第２の発明の除塵手段を掃除機本体の長手方向に対して略直角に配列し、前記除塵手段に、集塵部の上部の少なくとも一部を覆う突出部を設けたもので、集塵部に除塵動作を加える面積が増え、確実に集塵部に付着した塵埃をしかも効率的に徐塵することができる。
【００１６】
第５の発明は、特に、第４の発明の突出部を、掃除機本体の長手方向に対して鈍角に傾斜させたもので、集塵ボックスから集塵部を捨てる際、突出部が集塵部に引っ掛かることがなく容易に廃棄することができる。
【００１７】
第６の発明は、特に、第４又は第５の発明の突出部を軟質材で形成したもので、集塵ボックスから集塵部を捨てる際、突出部で集塵部を傷つけることがなく、また、集塵ボックスから集塵部を捨てる際、軟質材の突出部が弾性変形することによって突出部が集塵部に引っ掛かることなく容易に廃棄することができる。
【００１８】
第７の発明は、特に、第１〜６のいずれか１つの発明の除塵手段に通気性を有する開口部を複数形成したもので、電動送風機で発生する吸引風は、そのまま通気性を有する除塵手段の開口部を通過できるため、吸引風を迂回させる必要もなく、吸引風の抵抗を低減することにより、吸い込み性能の低下を防止することができる。
【００１９】
第８の発明は、特に、第１〜７のいずれか１つの発明の除塵手段に前記除塵手段を駆動する電気負荷を配設し、前記除塵手段に前記電気負荷に電気的に接続された端子Ａを設け、前記端子Ａに電源を給電する端子Ｂを集塵室内に設け、集塵ボックスを前記集塵室内に装着した時に、前記端子Ａと前記端子Ｂとが通電接続されるようにしたもので、掃除機本体に配設する端子Ｂ及び、集塵ボックスに配設される端子Ａがそれぞれ別けられて構成される為、掃除機本体に配設する端子Ｂの取付け構成及び、集塵ボックスに配設される端子Ａの取付け構成の形状が金型上複雑にすることなく簡単にできる。結果的に、組立て性が向上するとともに安価にすることが可能となる。
【００２０】
第９の発明は、特に、第８の発明の端子Ａ及び端子Ｂを、集塵室下部に配置したもので、電動送風機による吸引風の流れを妨げることなく、吸引風の抵抗を低減することにより、吸い込み性能の低下を防止することができる。
【００２１】
第１０の発明は、特に、第８又は第９の発明の端子Ａの端子Ｂ側の端部、前記端子Ｂの前記端子Ａ側端部の少なくとも一方を略円弧状に形成したもので、外力に対し、略円弧状形状が弾性にて吸収し、端子Ａ及び、端子Ｂの耐久性を向上させる。
【００２２】
第１１の発明は、特に、第８〜１０のいずれか１つの発明の端子Ａの両端にガイドリブを設けたもので、端子Ａに外力が加わることなく、端子Ａの強度、耐久性を向上させる。
【００２３】
第１２の発明は、特に、第８〜１１のいずれか１つの発明の端子Ｂの両端に、前記端子Ｂを覆う保護体を設けたもので、端子Ｂに外力が加わることなく、端子Ｂの強度、耐久性を向上させることができる。
【００２４】
第１３の発明は、集塵室及び電動送風機を有する掃除機本体と、前記集塵室を開閉自在に覆う集塵蓋と、前記集塵室内に配され塵埃を捕集する集塵部とを具備し、前記集塵蓋に、前記集塵部に付着した塵埃を除く除塵手段を配設したもので、掃除機本体を長手方向に大きくすることなく除塵効果を発揮することができ、小型化も可能となる。
【００２５】
第１４の発明は、特に、第１３の発明の除塵手段を、掃除機本体の長手方向に対して略水平方向に配設したもので、除塵手段による除塵作用が集塵部の上方から加わることになり、集塵部に付着した塵埃が自重で下方にすべり落ちやすくなり、効率的で確実に徐塵効果を発揮することができる。
【００２６】
以下、本発明の実施の形態について、図面を参照しながら説明する。なお、この実施の形態により本発明が限定されるものではない。
【００２７】
（実施の形態１）
以下に、本発明の第１の実施の形態における電気掃除機について、図１〜１０を用いて説明する。図１は、本実施の形態における電気掃除機の全体斜視図、図２は、同電気掃除機の掃除機本体の断面図、図３は、同掃除機本体から集塵ボックスを取外した時の動作図、図４は、同電気掃除機の集塵蓋を開いた状態の同掃除機本体の斜視図、図５は、同集塵ボックス及び除塵手段の部品構成を示した斜視図、図６は、同除塵手段を示した部分断面図、図７は、同集塵ボックスから集塵部を取外す時の動作図、図８は、同除塵手段を示した断面正面図である。
【００２８】
図１において、電気掃除機の掃除機本体１２は、一端に手元ハンドル１３を、他端にホース継ぎ手１４を有するホース１５を介して延長管１６を連結し、延長管１６に取り付けられ塵埃を吸引する吸込具１７に連通している。また、掃除機本体１２の前方底部に１個の前輪キャスター１８が、後方には一対の後輪１９が回転自在に設けられている。
【００２９】
この掃除機本体１２は、図２に示すように、下本体２０と上本体２１とで外郭を構成している。この掃除機本体１２の後方側には、電動送風機２２を収納する電動送風機室３２が配設されており、電動送風機２２は、吸引風を発するもので、前方が第１サポートゴム２３で支持され、後方が第２サポートゴム２４を介して第１モーターカバー２５と第２モーターカバー２６により支持され、下本体２０に装着、固定されるようになっている。
【００３０】
掃除機本体１２の前方側には、集塵室２７が形成され、集塵室２７上方には、この集塵室２７を開閉自在に閉鎖する集塵蓋２８を有している。また、集塵室２７内には集塵ボックス２９が配設されている。この集塵ボックス２９は、上方が開放され略箱状に形成されており、内側には、塵埃を捕集する紙袋などからなる集塵部３０が着脱自在に具備されており、集塵ボックス２９の両端には集塵ボックス２９を持運ぶ把手部３１が回動自在に設けられている。
【００３１】
集塵ボックス２９は、図３に示されるように、集塵蓋２８を開くことより、集塵室２７内から容易に取出すことが可能で、集塵室２７内に着脱自在に装着されるようになっている。
【００３２】
図２において、電動送風機室３２と集塵室２７を仕切る仕切壁３３は、下本体２０より設けられており、この仕切壁３３の上方にはパッキン３４が設けられており、パッキン３４にて集塵室２７内の空気タイトを行い気密性を確保している。電動送風機２２の前方に位置する仕切壁３３には、電動送風機２２と集塵室２７とを連通する連通口３５が設けられており、また、集塵ボックス２９後方には、集塵部３０外面に臨んで、振動動作を与える振動板３６を備えた除塵手段３７が設けられている。
【００３３】
次に、除塵手段３７の構成及び動作の詳細を図４、図５、図６及び図８にて説明する。
【００３４】
アーム３８はリング状のゴム製ブッシング３９を介して本体ケース４０に固定されている。本体ケース４０内には、電気負荷となる電磁石４１、４２が配設されており、またこの電磁石４１と電磁石４２の吸引作用面と対向して平行に磁石４３が配設されている。この磁石４３は、可動板４４を先端部に固着されている。可動板４４の磁石４３と反対側の一端はゴム製のスリーブ４５を介してネジ４６により、可動板４４が回動自在となるように本体ケース４０に固定されている。
【００３５】
アーム３８及び本体ケース４０は、集塵ボックス２９後方下部内に格納され蓋カバー４７で、ねじ等で固定されている。
【００３６】
可動板４４より立設した中空円柱状のアーム３８は、集塵ボックス２９内へ突出しており、このアーム３８に振動板３６が着脱自在に挿入嵌合されている。
【００３７】
図示しない振動制御回路によりスイッチ（図示せず）がＯＮされ、電磁石４１、４２にＡＣ１００Ｖ電源が通電されると、電磁石４１、４２に生じた磁界により先端部に磁石４３を固着した可動版４４はネジ４６で回動自在に支持された一端を支点として、アーム３８がゴム製ブッシング３９を前後に撓ませながら矢印４８、４９方向へＡＣ１００Ｖ電源の電源周波数（５０Ｈｚまたは６０Ｈｚ）に応じた周期で振動する。その振動はアーム３８を介して振動板３６に伝えられ、振動板３６も同様に矢印４８、４９方向へ振動し、集塵部３０の外面を振動させ除塵を行なうものである。
【００３８】
以上のように構成された除塵手段３７について、以下その動作、作用を説明する。
【００３９】
集塵ボックス２９に配設された除塵手段３７と、集塵部３０は、確実に近傍に配置される為、集塵部３０に大きな振動を伝へ、集塵部３０に付着し堆積した塵埃をはたき落とすことができる。その結果、吸引風の低下を減少させ吸引効率を良化させることができるものとなる。
【００４０】
図２、図６において、振動板３６を備えた除塵手段３７は、電動送風機２２と、集塵室２７とを連通する連通口３５の吸気上流側で集塵ボックス２９後方に設けられている。このことにより吸引風が通過し塵埃の付着が最も多い集塵部３０の除塵が可能となる。その結果、除塵手段３７における除塵効果の拡大が図れるものとなる。
【００４１】
また、図２、図６に示すように、除塵手段３７及び振動板３６は、集塵ボックス２９後方で、掃除機本体１２の長手方向に対して略直角に配列されている。このことより、集塵室２７内のスペースを有効活用でき、掃除機本体１２を長手方向に大きくすることなく掃除機本体１２の小型化が図れる。
【００４２】
図６に示すように、除塵手段３７の振動板３６の上方には、集塵部３０の上部を覆うように突出部５０が設けられており、突出部５０の下端には、コの字状部５１が形成されており、前記振動板３６の上部を覆い固定されている。このことより、除塵手段３７と連動している振動板３６と、集塵部３０との接触面積が拡大され除塵効果の拡大が図れるものとなる。
【００４３】
また、図６において、振動板３６に備えた突出部５０は、掃除機本体１２の長手方向に対して鈍角に傾斜されている。このことより、図７において、集塵部３０が塵埃で満杯になり集塵ボックス２９から集塵部３０を捨てる際、集塵ボックス２９に形成された把手部３１をＡ方向に回動させ、集塵ボックス２９の上方が開放された面を床面方向に向けると、集塵部３０は自重ですべり落ち、集塵ボックス２９から自然落下する。この時、突出部５０は、鈍角に形成されている為、集塵部３０が引っ掛かることなく容易に廃棄できる。
【００４４】
また、振動板３６に備えた突出部５０を、軟質材で形成することにより、図７に示すように、塵埃で満杯になった集塵部３０を集塵ボックス２９から捨てる際、集塵ボックス２９に形成された把手部３１をＡ方向に回動させ、集塵ボックス２９の上方が開放された面を床面方向に向けることより、集塵部３０は自重ですべり落ち、集塵ボックス２９から自然落下される。この時、突出部５０は、軟質材の弾性によりＢ方向に傾き集塵部３０が引っ掛かることなく容易に廃棄ができる。さらに、突出部５０で集塵部３０に傷つけたり破ったりすることが無いので信頼性が向上する。
【００４５】
また、図６、図８に示すように、電動送風機２２と集塵室２７とが連通する連通口３５の吸気上流側で集塵ボックス２９後方に設けられている除塵手段３７の振動板３６に通気性を有する複数個の開口部５２が形成されている。
【００４６】
上記構成により、除塵手段３７である振動板２８は、連通口３５に対向した位置に配設されているが、電動送風機２２で発生する吸引風は、集塵部３０を通過してそのまま開口部５２を通過していく為、吸引風を迂回させる必要もなく、集塵部３０に付着した塵埃を除塵するとともに、吸引風の通風抵抗が低減され、吸い込み性能の低下を防止することができる。
【００４７】
次に、除塵手段３７への電源供給構成について、説明する。
【００４８】
図５、図６、図９に示すように、除塵手段３７の本体ケース４０内には、電磁石４１と電磁石４２に電源を供給するための導線５３が設けられ、その導線５３の一端には電源を導通させる端子Ａ５５が具備されている。この端子Ａ５５は蓋カバー４７に、ねじ等で固定されている。
【００４９】
また、端子Ａ５５の一端は、蓋カバー４７に設けられた孔５６より外部に突出されている。また、掃除機本体１２で集塵室２７外の凹部５８には、端子Ａ５５と相対側で、端子Ａ５５に振動制御回路からの電源を給電するための端子Ｂ５７が配設されており、端子Ｂ５７は裏蓋５９に係止されている。裏蓋５９は、掃除機本体１２にねじ等で固定されている。また、端子Ｂ５７の一端は、集塵室２７の凹部５８に設けられた穴６０より突出されている。
【００５０】
６１は、集塵室２７に設けられた穴６０から空気がリークするのを防止する為に設けられたパッキンである。集塵ボックス２９を、集塵室２７内に収めることにより、前記端子Ａ５５と前記端子Ｂ５７が互いに当接し電気的に接続され、除塵手段３７に電源を供給し振動動作させるようになっている。
【００５１】
以上のように構成された除塵手段３７について、以下その動作、作用を説明する。
【００５２】
端子Ａ５５と端子Ｂ５７をそれぞれ別々に、集塵ボックス２９に構成された蓋カバー４７、掃除機本体１２に構成された裏蓋５９に配置させている為、集塵ボックス２９及び、掃除機本体１２の端子取付け構成の形状が金型上複雑にすることなく簡単にできる。その結果、組立て性が向上するとともに安価に除塵手段３７を形成することができる。
【００５３】
また、図６、図９に示すように、集塵ボックス２９に構成された蓋カバー４７に係止されている端子Ａ５５及び、掃除機本体１２に構成された裏蓋５９に係止されている端子Ｂ５７は、集塵室２７の下部に配置形成されているので、集塵部３０を通過して連通口３５に吸引される吸引風は、端子Ａ５５と端子Ｂ５７の端子取付け構成部を連通することがなく、吸引風を妨げることなく吸込み性能の低下を防止する。
【００５４】
また、図１０に示すように、端子Ａ５５と端子Ｂ５７の互いに当接する側の端部は、略円弧状６２に形成されている。このことにより端子Ａ５５及び、端子Ｂ５７に加わる外力が、略円弧状６２形状により弾性的に吸収され、端子Ａ５５及び、端子Ｂ５７の強度、耐久性が向上する。
【００５５】
さらに、図９、図１０に示すように、除塵手段３７の端子Ａ５５の両端に沿うように、端子Ａ５５を覆うガイドリブ６３が蓋カバー４７に一体的に形成されている。これによって、端子Ａ５５の保護を行い、端子Ａ５５の強度、耐久性の向上が図れる。
【００５６】
同じく図９、図１０に示すように、端子Ｂ５７の両端に、端子Ｂ５７を覆う保護体６４が掃除機本体１２で集塵室２７の凹部５８に形成し、端子Ｂ５７の保護を行い、端子Ｂ５７の強度、耐久性の向上を図っている。
【００５７】
（実施の形態２）
図１１は、本発明の第２の実施の形態における電気掃除機の掃除機本体の断面図であり、図１２は、同電気掃除機の要部断面図である。なお、上記実施の形態と同一部分については同一符号を付してその説明を省略する。
【００５８】
図１１、図１２において、掃除機本体１２の前方側には、集塵室２７が形成され、集塵室２７上方には、この集塵室２７を開閉自在に閉鎖する集塵蓋２８を有している。集塵室２７内には、塵埃を捕集する紙袋等からなる集塵部３０が具備されている。電動送風機室３２と集塵室２７を仕切る仕切壁３３が形成され、この仕切壁３３の上部にパッキン３４が具備されており、パッキン３４を介して集塵蓋２８から形成されたタイトリブ６５によって、集塵室２７内のエアータイトを行い気密性を確保している。仕切壁３３には、連通口３５が設けられて、電動送風機２２と集塵室２７とが連通するようになっている。
【００５９】
また、集塵蓋２８の後方で、タイトリブ６５には、集塵部３０外面に臨んで、振動動作を与える振動板３６を備えた除塵手段３７が設けられている。
【００６０】
この除塵手段３７の構成及び動作の詳細を説明する。
【００６１】
図１２に示すように、集塵蓋２８の後方で、タイトリブ６５の凹み部６６には、アーム３８及び本体ケース４０等が格納され蓋６７で、ねじ等で固定されている。
【００６２】
アーム３８はリング状のゴム製ブッシング３９を介して本体ケース４０に固定されている。本体ケース４０内には、電磁石（図示せず）が具備されており、電磁石（図示せず）に電源が通電されると、電磁石（図示せず）に生じた磁界により先端部に磁石（図示せず）を固着した可動版４４を振動させる。これら除塵手段３７の構成、動作、作用は、実施の形態１で述べた構成と同一である。
【００６３】
可動板４４より立設した中空円柱状のアーム３８は、集塵室２７内へ突出しており、このアーム３８には振動板３６が着脱自在に挿入嵌合されている。
【００６４】
以上のように構成された除塵手段３７について、以下その動作、作用を説明する。
【００６５】
集塵蓋２８に除塵手段３７を配置することより、掃除機本体１２の集塵室２７内のスペースを有効に活用し、掃除機本体１２の長手方向の全長を長くすることなく無駄な空間をなくし、ひいては掃除機本体１２の小型化を図りながら集塵部３０の除塵が可能となる。また、図１１、図１２に示すように、集塵蓋２８に配設した除塵手段３７は、掃除機本体１２の上方で長手方向に対して略水平方向に配設されている。
【００６６】
これにより、掃除機本体１２の高さ方向を小さくすることが可能となり、且つ、除塵手段３７は集塵部３０の上方から振動を伝えることによって、集塵部３０に付着した塵埃は、自重で下方に落ちやすくなり、効率的で確実に除塵効果の拡大が図れるものとなる。
【００６７】
徐塵が実現できる。
【産業上の利用可能性】
【００６８】
以上のように、本発明にかかる電気掃除機は、集塵部の内部に付着し堆積した塵埃を効果的に除塵でき、吸引風の低下を減少し、集塵性能を向上させることができ、家庭、業務用の電気掃除機、集塵機に広く適用できるものである。
【図面の簡単な説明】
【００６９】
【図１】本発明の実施の形態１における電気掃除機の全体斜視図
【図２】同電気掃除機の掃除機本体の断面図
【図３】同掃除機本体から集塵ボックスを取外した時の動作図
【図４】同電気掃除機の集塵蓋を開いた状態の同掃除機本体の斜視図
【図５】図集塵ボックス及び、除塵手段の部品構成を示した斜視図
【図６】図除塵手段を示した部分断面図
【図７】同集塵ボックスから集塵部を取外す時の動作図
【図８】同除塵手段を示した断面正面図
【図９】同除塵手段の要部断面正面図
【図１０】同除塵手段の端子形状を示した部分断面図
【図１１】本発明の実施の形態２における電気掃除機の掃除機本体の断面図
【図１２】同電気掃除機の集塵蓋の要部断面図
【図１３】従来の電気掃除機の掃除機本体の一部構成図
【符号の説明】
【００７０】
１２  掃除機本体
２２  電動送風機
２７  集塵室
２８  集塵蓋
２９  集塵ボックス
３０  集塵部
３２  電動送風機室
３５  連通口
３７  除塵手段
４１、４２  電磁石（電気負荷）
５０  突出部
５２  開口部
５５  端子Ａ
５７  端子Ｂ
６３  ガイドリブ
６４  保護体
【図１】
2006006609.tif 000003
【図２】
2006006609.tif 000004
【図３】
2006006609.tif 000005
【図４】
2006006609.tif 000006
【図５】
2006006609.tif 000007
【図６】
2006006609.tif 000008
【図７】
2006006609.tif 000009
【図８】
2006006609.tif 000010
【図９】
2006006609.tif 000011
【図１０】
2006006609.tif 000012
【図１１】
2006006609.tif 000013
【図１２】
2006006609.tif 000014
【図１３】
2006006609.tif 000015